(57)【要約】【課題】静電センサを用いる際の消費電力の増加を抑制し、あるいは誤入力を防止する。【解決手段】リモコン１００は、少なくともひとつの入力スイッチ１２を有し、対象物に入力スイッチ１２の状態にもとづいた信号を送信する。メイン電極対Ｃｍは入力スイッチ１２として設けられ、押圧に応じて電極間距離が可変に構成される。サブ電極対Ｃｓ１〜Ｃｓ３は、メイン電極対Ｃｍと異なる位置に設けられ、押圧に応じて電極間距離が可変に構成される。信号処理部は、メイン電極対Ｃｍおよびサブ電極対Ｃｓ１〜Ｃｓ３の容量値を監視し、検出した容量値に応じて所定の信号処理を行う。トランスミッタは、メイン電極対Ｃｍの容量値に応じた制御信号を対象物に送信する。【選択図】図１
2009213126.tif 000002
【特許請求の範囲】
【請求項１】
少なくともひとつの入力装置を有し、対象物に前記入力装置の入力状態にもとづいた信号を送信するリモートコントロール装置であって、
前記入力装置として設けられ、押圧に応じて電極間距離が可変に構成されるメイン電極対と、
前記メイン電極対と異なる位置に設けられ、押圧に応じて電極間距離が可変に構成されるサブ電極対と、
前記メイン電極対および前記サブ電極対の容量値を監視し、検出した容量値に応じて所定の信号処理を行う信号処理部と、
前記信号処理部により生成される前記メイン電極対の容量値に応じた制御信号を前記対象物に送信するトランスミッタと、
を備えることを特徴とするリモートコントロール装置。
【請求項２】
前記サブ電極対は、前記リモートコントロール装置のユーザが通常の使用を目的として筐体を手に保持した状態で、手に接触して押圧される位置に配置されることを特徴とする請求項１に記載のリモートコントロール装置。
【請求項３】
前記メイン電極対は、前記リモートコントロール装置の筐体の第１面に設けられ、前記サブ電極対は、前記筐体の前記第１面とは異なる面に設けられることを特徴とする請求項１または２に記載のリモートコントロール装置。
【請求項４】
前記信号処理部は、
前記サブ電極対の容量のみを監視し、前記サブ電極対が押圧された状態を検出すると、前記メイン電極対の監視を開始することを特徴とする請求項１または２に記載のリモートコントロール装置。
【請求項５】
前記サブ電極対は複数設けられており、
前記信号処理部は、複数の前記サブ電極対の容量のみを監視し、少なくとも２個のサブ電極対が押圧された状態を検出すると、前記メイン電極対の監視を開始することを特徴とする請求項４に記載のリモートコントロール装置。
【請求項６】
前記信号処理部は、前記サブ電極対の監視状態と非監視状態を間欠的に実行することを特徴とする請求項４に記載のリモートコントロール装置。
【請求項７】
前記信号処理部は、前記サブ電極対が押圧された状態で、前記メイン電極対への押圧を検出すると、所定の信号処理を実行することを特徴とする請求項１または２に記載のリモートコントロール装置。
【請求項８】
前記サブ電極対は複数設けられており、
前記信号処理部は、全てのサブ電極対が押圧された状態で、前記メイン電極対への押圧を検出すると、所定の信号処理を実行することを特徴とする請求項７に記載のリモートコントロール装置。
【請求項９】
前記サブ電極対は複数設けられており、少なくともひとつは、前記筐体の前記第１面と異なる第２面に配置され、別のひとつは、前記第１、第２面と異なる第３面に配置されることを特徴とする請求項３に記載のリモートコントロール装置。
【請求項１０】
少なくともひとつの入力装置を有する電子機器であって、
前記入力装置として設けられ、押圧に応じて電極間距離が可変に構成されるメイン電極対と、
前記メイン電極対と異なる位置に設けられ、押圧に応じて電極間距離が可変に構成されるサブ電極対と、
前記メイン電極対および前記サブ電極対の容量値を監視し、検出した容量値に応じて所定の信号処理を行う信号処理部と、
を備えることを特徴とする電子機器。
【請求項１１】
前記サブ電極対は、前記電子機器のユーザが通常の使用を目的として筐体を手に保持した状態で、手に接触して押圧される位置に配置されることを特徴とする請求項１０に記載の電子機器。
【請求項１２】
前記信号処理部は、前記サブ電極対の容量のみを監視し、前記サブ電極対が押圧された状態を検出すると、前記メイン電極対の監視を開始することを特徴とする請求項１０または１１に記載の電子機器。
【請求項１３】
前記電子機器は通話端末であって、
前記サブ電極対は、前記通話端末のユーザが通話を目的として筐体を耳に近づけた状態で頭部と接触して押圧される位置に配置されることを特徴とする請求項１０に記載の電子機器。
【請求項１４】
前記信号処理部は、前記サブ電極対が押圧された状態において、前記メイン電極対に対する押圧の検出結果を無効化することを特徴とする請求項１３に記載の電子機器。
【請求項１５】
通常使用状態においてユーザの手に保持される筐体に設けられており、押圧に応じて電極間距離が可変に構成される電極対を有するスイッチの制御方法であって、
前記スイッチの電極対とは別に設けられたサブ電極対の容量値を監視するステップと、
前記スイッチの電極対の容量値を監視するステップと、
前記サブ電極対の容量値が所定の条件を満たし、かつ前記スイッチの電極対の容量値が所定の条件を満たすとき、前記スイッチへの入力を判定するステップと、
を備えることを特徴とする制御方法。
【請求項１６】
少なくともひとつの入力装置を有し、対象物に前記入力装置の入力状態にもとづいた信号を送信するリモートコントロール装置であって、
前記入力装置として設けられ、押圧に応じて電極間距離が可変に構成されるメイン電極対と、
押圧に応じて電極間距離が可変に構成されるサブ電極対と、
前記メイン電極対および前記サブ電極対の容量を監視し、検出した容量値に応じて所定の信号処理を行う信号処理部と、
前記信号処理部により生成される、前記メイン電極対の容量値に応じた制御信号を前記対象物に送信するトランスミッタと、
を備え、
前記信号処理部は、前記サブ電極対の容量値に応じて、前記メイン電極対の監視状態を変化させることを特徴とするリモートコントロール装置。
【請求項１７】
前記信号処理部は、前記サブ電極対の容量のみを監視し、前記サブ電極対の容量値が所定の条件を満たすときに、前記メイン電極対の監視を開始することを特徴とする請求項１６に記載のリモートコントロール装置。
【請求項１８】
前記信号処理部は、前記サブ電極対の容量のみを監視する際、監視状態と非監視状態を間欠的に繰り返すことを特徴とする請求項１７に記載のリモートコントロール装置。
【請求項１９】
前記監視状態の期間と前記非監視状態の期間は外部設定可能であることを特徴とする請求項１８に記載のリモートコントロール装置。
【請求項２０】
前記サブ電極対は、前記リモートコントロール装置のユーザが通常の使用を目的として筐体を手に保持した状態で、手に接触して押圧される位置に配置されることを特徴とする請求項１６から１９のいずれかに記載のリモートコントロール装置。
【請求項２１】
前記サブ電極対は複数設けられ、前記信号処理部は、少なくとも２個のサブ電極対が押圧状態と判定されるとき、前記メイン電極対の監視を開始することを特徴とする請求項１７に記載のリモートコントロール装置。
【請求項２２】
少なくともひとつの入力装置を有する電子機器であって、
前記入力装置として設けられ、押圧に応じて電極間距離が可変に構成されるメイン電極対と、
押圧に応じて電極間距離が可変に構成されるサブ電極対と、
前記メイン電極対および前記サブ電極対の容量を監視し、検出した前記メイン電極対の容量値に応じて所定の信号処理を行う信号処理部と、
を備え、
前記信号処理部は、前記サブ電極対の容量値に応じて、前記メイン電極対の監視状態を変化させることを特徴とする電子機器。
【請求項２３】
前記信号処理部は、前記サブ電極対のみの容量を監視し、前記サブ電極対の容量値が所定の条件を満たすときに、前記メイン電極対の容量の監視を開始することを特徴とする請求項２２に記載の電子機器。
【請求項２４】
前記信号処理部は、前記サブ電極対の容量のみを監視する際、監視状態と非監視状態を間欠的に繰り返すことを特徴とする請求項２３に記載の電子機器。
【請求項２５】
前記サブ電極対は、前記電子機器のユーザが通常の使用を目的として筐体を手に保持した状態で、手に接触して押圧される位置に配置されることを特徴とする請求項２２から２４のいずれかに記載の電子機器。
【請求項２６】
通常使用状態においてユーザの手に保持される筐体に設けられており、押圧に応じて電極間距離が変化に構成される電極対を有するスイッチの制御方法であって、
押圧に応じて電極間距離が可変に構成されるサブ電極対の容量値を監視するステップと、
前記サブ電極対の容量値が所定の条件を満たすとき、前記スイッチの電極対の容量値の監視を開始し、前記スイッチの電極対の容量値が所定の状態を満たすとき、所定の処理を実行するステップと、
を備えることを特徴とする制御方法。
【発明の詳細な説明】
【技術分野】
【０００１】
本発明は、静電センサを入力装置として備えたデバイスに関する。
【背景技術】
【０００２】
ユーザが離れた位置にある対象物、たとえばテレビやオーディオ装置、エアコンを遠隔操作するために、リモートコントロール装置（以下、単にリモコンという）が利用される。近年では自動車の鍵のロック、解除、さらにはエンジンの始動までがリモコンキーで行えるようになっている。
【０００３】
一般的にリモコンは、ユーザの指示入力を受けるボタンやスイッチをはじめとする操作部と、操作部により入力された指示入力をエンコードし、光、赤外線、電波を変調して対象物に送信するトランスミッタと、を備える。従来の操作部は、機械的なスイッチにより、電極同士の接触、非接触を監視するものが一般的であった。
【０００４】
しかしながら機械的なスイッチは、押圧を繰り返すうちに摩耗するという問題がある。また機械的なスイッチをリモコンに実装する場合、スイッチの可動部、つまりボタンと筐体の間に間隙が生ずるため耐水性が問題となる場合があった。特に屋外利用される車用のリモコンキーではこうした問題が顕著となる。
【０００５】
機械的なスイッチに代えて近年では静電センサが利用され始めている。静電センサは、対向して設けられた２枚の電極が押圧されることにより電極間距離が変化し、静電容量が変化することを利用して、ユーザからの入力を検知、解析する装置である。たとえば、特許文献１にはこうした電極対の静電容量の変化を利用した入力装置が開示されている。
【０００６】
静電センサは、機械的なスイッチに比べて耐久性に優れており、また密閉された筐体内に実装することができるため、耐水性の観点からも優れている。そこでさまざまなリモコンや電子機器に静電センサを搭載する試みがなされている。
【先行技術文献】
【特許文献】
【０００７】
【特許文献１】特開２００１−３２５８５８号公報
【特許文献２】特開２０００−３０８１５９号公報
【特許文献３】特開２００７−１０４２０４号公報
【特許文献４】特開平１０−５９１３１号公報
【発明の概要】
【発明が解決しようとする課題】
【０００８】
静電センサは、静電容量を電圧に変換して検出する。したがってユーザによる操作入力の状態を判定するために常時静電容量を監視する必要があるため、静電容量を電気信号に変換する回路を常時動作させておく必要があり、機械的なスイッチに比べて消費電力が大きくなるという問題がある。また、車用のリモコンを例にとると、ポケットやカバンの中に入った状態でスイッチが予期せずに押されると、対象物を誤動作させてしまう。
【０００９】
こうした問題はリモコンに限定されず、筐体の表面に、静電センサの操作部が設けられるさまざまな電子機器において発生しうる。
【００１０】
本発明はこうした課題に鑑みてなされたものであり、その目的は、柔軟な制御によって上述の少なくともひとつの問題点を解消できるリモコンや電子機器、スイッチの制御技術の提供にある。
【課題を解決するための手段】
【００１１】
１．  本発明のある態様は、少なくともひとつの入力装置を有し、対象物に入力装置の入力状態にもとづいた信号を送信するリモートコントロール装置に関する。リモートコントロール装置は、入力装置として設けられ、押圧に応じて電極間距離が可変に構成されるメイン電極対と、メイン電極対と異なる位置に設けられ、押圧に応じて電極間距離が可変に構成されるサブ電極対と、メイン電極対およびサブ電極対の容量値を監視し、検出した容量値に応じて所定の信号処理を行う信号処理部と、信号処理部により生成されるメイン電極対の容量値に応じた制御信号を対象物に送信するトランスミッタと、を備える。
【００１２】
この態様によると、対象物を操作するための本来のスイッチとして設けられたメイン電極対とは別に、対象物の操作とは無関係に設けられたサブ電極対を設け、メイン電極対とサブ電極対の状態に応じて処理を行うことにより、柔軟な制御を行うことができる。またサブ電極対は、メイン電極対とは異なる位置に配置されるため、意図せずに同時に押圧されて、誤入力が検出される確率を下げることができる。
【００１３】
サブ電極対は、リモートコントロール装置のユーザが通常の使用を目的として筐体を手に保持した状態で、手に接触して押圧される位置に配置されてもよい。
この場合、ユーザが筐体を保持すると、サブ電極対の容量が押圧によって所定の状態となるため、ユーザに保持されたことを好適に検出できる。
【００１４】
メイン電極対は、リモートコントロール装置の筐体の第１面に設けられ、サブ電極対は、筐体の第１面とは異なる面に設けられてもよい。
【００１５】
信号処理部は、サブ電極対の容量のみを監視し、サブ電極対が押圧された状態を検出すると、メイン電極対の監視を開始してもよい。
この場合、サブ電極対が押圧される以前はメイン電極対の容量値を監視する必要がないため、消費電力を低減できる。
【００１６】
サブ電極対は複数設けられてもよい。信号処理部は、複数のサブ電極対の容量のみを監視し、少なくとも２個のサブ電極対が押圧された状態を検出すると、メイン電極対の監視を開始してもよい。
複数のサブ電極を利用すると、筐体がユーザに保持された状態の検出精度を高めることができる。
【００１７】
信号処理部は、サブ電極対の監視状態と非監視状態を間欠的に実行してもよい。
サブ電極対の監視は、ユーザが手で保持したか否かを判定するために利用できる。一般的にユーザがリモコンを手に保持してから入力装置による操作を行うまでには、少なくとも数十ｍｓ〜数百ｍｓ以上のタイムラグが存在する。したがって、サブ電極対の容量の監視を間欠的に行うと、ユーザに処理の遅延を知覚させることなく、消費電力を好適に低減できる。
【００１８】
信号処理部は、サブ電極対が押圧された状態で、メイン電極対への押圧を検出すると、所定の信号処理を実行してもよい。
この場合、誤入力によって対象物が誤動作するのを防止できる。
【００１９】
サブ電極対は複数設けられており、信号処理部は、全てのサブ電極対が押圧された状態で、メイン電極対への押圧を検出すると、所定の信号処理を実行してもよい。
【００２０】
サブ電極対は複数設けられており、少なくともひとつは、筐体の第１面と異なる第２面に配置され、別のひとつは、第１、第２面と異なる第３面に配置されてもよい。
【００２１】
本発明の別の態様は、少なくともひとつの入力装置を有する電子機器に関する。電子機器は、入力装置として設けられ、押圧に応じて電極間距離が可変に構成されるメイン電極対と、メイン電極対と異なる位置に設けられ、押圧に応じて電極間距離が可変に構成されるサブ電極対と、メイン電極対およびサブ電極対の容量値を監視し、検出した容量値に応じて所定の信号処理を行う信号処理部と、を備える。
【００２２】
サブ電極対は、電子機器のユーザが通常の使用を目的として筐体を手に保持した状態で、手に接触して押圧される位置に配置されてもよい。
【００２３】
信号処理部は、サブ電極対の容量のみを監視し、サブ電極対が押圧された状態を検出すると、メイン電極対の監視を開始してもよい。
【００２４】
電子機器は通話端末であって、サブ電極対は、通話端末のユーザが通話を目的として筐体を耳に近づけた状態で頭部と接触して押圧される位置に配置されてもよい。
【００２５】
信号処理部は、サブ電極対が押圧された状態において、メイン電極対に対する押圧の検出結果を無効化してもよい。
【００２６】
本発明のさらに別の態様は、通常使用状態においてユーザの手に保持される筐体に設けられており、押圧に応じて電極間距離が可変に構成される電極対を有するスイッチの制御方法に関する。この方法は、スイッチの電極対とは別に設けられたサブ電極対の容量値を監視するステップと、スイッチの電極対の容量値を監視するステップと、サブ電極対の容量値が所定の条件を満たし、かつスイッチの電極対の容量値が所定の条件を満たすとき、スイッチへの入力を判定するステップと、を備える。
【００２７】
２．  本発明のある態様も、少なくともひとつの入力装置を有し、対象物に入力装置の入力状態にもとづいた信号を送信するリモートコントロール装置に関する。このリモートコントロール装置は、入力装置として設けられ、押圧に応じて電極間距離が可変に構成されるメイン電極対と、押圧に応じて電極間距離が可変に構成されるサブ電極対と、メイン電極対およびサブ電極対の容量を監視し、検出した容量値に応じて所定の信号処理を行う信号処理部と、信号処理部により生成される、メイン電極対の容量値に応じた制御信号を対象物に送信するトランスミッタと、を備える。信号処理部は、サブ電極対の容量値に応じて、メイン電極対の監視状態を変化させる。
【００２８】
この態様によると、サブ電極対の押圧状態に応じて、メイン電極対を監視する必要が無い場合は、その監視を中止もしくは頻度を低下させることができ、消費電力を低減できる。
【００２９】
信号処理部は、サブ電極対の容量のみを監視し、サブ電極対の容量値が所定の条件を満たすときに、メイン電極対の監視を開始してもよい。
【００３０】
信号処理部は、サブ電極対の容量のみを監視する際、監視状態と非監視状態を間欠的に繰り返してもよい。
監視状態の期間と非監視状態の期間は外部設定可能であってもよい。
【００３１】
サブ電極対は、リモートコントロール装置のユーザが通常の使用を目的として筐体を手に保持した状態で、手に接触して押圧される位置に配置されてもよい。
この場合、ユーザが筐体を保持すると、サブ電極対の容量が押圧によって所定の状態となるため、ユーザに保持されたことを好適に検出できる。
【００３２】
本発明の別の態様は、少なくともひとつの入力装置を有する電子機器に関する。この電子機器は、入力装置として設けられ、押圧に応じて電極間距離が可変に構成されるメイン電極対と、押圧に応じて電極間距離が可変に構成されるサブ電極対と、メイン電極対およびサブ電極対の容量を監視し、検出したメイン電極対の容量値に応じて所定の信号処理を行う信号処理部と、を備える。信号処理部は、サブ電極対の容量値に応じて、メイン電極対の監視状態を変化させる。
【００３３】
信号処理部は、サブ電極対のみの容量を監視し、サブ電極対の容量値が所定の条件を満たすときに、メイン電極対の容量の監視を開始してもよい。
【００３４】
信号処理部は、サブ電極対の容量のみを監視する際、監視状態と非監視状態を間欠的に繰り返してもよい。
【００３５】
サブ電極対は、電子機器のユーザが通常の使用を目的として筐体を手に保持した状態で、手に接触して押圧される位置に配置されてもよい。
【００３６】
本発明のさらに別の態様は、通常使用状態においてユーザの手に保持される筐体に設けられており、押圧に応じて電極間距離が変化に構成される電極対を有するスイッチの制御方法に関する。この方法は、押圧に応じて電極間距離が可変に構成されるサブ電極対の容量値を監視するステップと、サブ電極対の容量値が所定の条件を満たすとき、スイッチの電極対の容量値の監視を開始し、スイッチの電極対の容量値が所定の状態を満たすとき、所定の処理を実行するステップと、を備える。
【００３７】
なお、以上の構成要素の任意の組み合わせ、本発明の表現を、方法、装置などの間で変換したものもまた、本発明の態様として有効である。
【発明の効果】
【００３８】
本発明のある態様によれば、柔軟な制御を行うことができる。
【図面の簡単な説明】
【００３９】
【図１】実施の形態に係るリモコンの構成を示すブロック図である。
【図２】図１のリモコンの機能ブロック図を示す図である。
【図３】図１のリモコンの動作状態を示すタイムチャートである。
【図４】静電センサを用いた入力装置が搭載される携帯電話端末を示す図である。
【発明を実施するための形態】
【００４０】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００４１】
本明細書において、「部材Ａが部材Ｂに接続された状態」とは、部材Ａと部材Ｂが物理的に直接的に接続される場合や、部材Ａと部材Ｂが、電気的な接続状態に影響を及ぼさない他の部材を介して間接的に接続される場合も含む。同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００４２】
図１は、実施の形態に係るリモコン１００の構成を示すブロック図である。リモコン１００は、たとえば自動車用のリモコンであって、その筐体１０には、ドアのロック、解除や窓の開閉を制御するための入力装置（以下、入力スイッチという）１２が設けられる。ユーザが指で入力スイッチ１２を押圧すると、入力スイッチ１２の状態を示す情報が光、赤外線、電波などの信号に変換され、トランスミッタ１４から対象物である自動車へと送信され、対象物が所定の動作を行う。
【００４３】
本実施の形態に係るリモコン１００は、入力スイッチ１２として、機械的なスイッチではなく、静電容量を利用したセンサ（静電センサという）を備える。なお、リモコン１００は異なる機能が割り当てられた複数の入力スイッチ１２を備えてもよい。
【００４４】
リモコン１００は、入力スイッチとして設けられた静電センサＳｍおよびトランスミッタ１４に加えて、複数の静電センサＳｓ１、Ｓｓ２、Ｓｓ３と、を備える。後に詳述するが、各静電センサＳｍ、Ｓｓ１〜Ｓｓ３はそれぞれ、加圧によって電極間の距離が可変に構成される電極対と、電極対の容量値を検出するための検出回路と、を備える。
【００４５】
以下必要に応じて、静電センサＳｍをメインセンサ、静電センサＳｓ１〜Ｓｓ３を第１〜第３サブセンサと呼んで区別する。またメインセンサＳｍに設けられた電極対をメイン電極対Ｃｍ、サブセンサＳｓ１〜Ｓｓ３に設けられた電極対を第１〜第３サブ電極対Ｃｓ１〜Ｃｓ３と呼んで区別する。
【００４６】
図１に示されるメインセンサＳｍ、サブセンサＳｓ１〜Ｓｓ３は、それぞれに設けられたメイン電極対Ｃｍおよびサブ電極対Ｃｓ１〜Ｃｓ３のおおよその位置を示している。メインセンサＳｍおよびサブセンサＳｓ１〜Ｓｓ３に設けられた容量の検出回路（不図示）は、検出結果を処理するための回路と一体に集積化される。
【００４７】
図１に示すように、複数のサブ電極対Ｃｓ１〜Ｃｓ３は、メイン電極対Ｃｍと異なる位置に設けられる。
【００４８】
「異なる位置」とは、（１）筐体の異なる面に配置される場合、（２）１ｃｍ以上離れて配置される場合、（３）メイン電極対とサブ電極対を含む筐体の断面の中心点を頂点としてメイン電極およびサブ電極対がなす角が７５度以上の場合、（４）メイン電極対とサブ電極対を含む筐体の断面の外周の１／５以上離れて配置される場合などを含む。別の観点からいえば、「異なる位置」は、ユーザが親指でメイン電極を押圧する際に、サブ電極対がその親指によって押圧されない位置関係をいう。
【００４９】
具体的には、複数のサブ電極対Ｃｓ１〜Ｃｓ３は、リモコン１００のユーザが、通常の使用を目的として、つまり入力スイッチ１２の操作を目的として筐体１０を手に保持した状態で、手に接触して押圧される位置に配置される。
【００５０】
メイン電極対Ｃｍとサブ電極対Ｃｓの位置関係は、以下のように決定するのが好ましい。
【００５１】
（１）図１に示すように、筐体１０が多面体で構成される場合、複数のサブ電極対Ｃｓ１〜Ｃｓ３は、メイン電極対Ｃｍと異なる面に設けられる。図１のリモコン１００は、筐体１０の上面（第１面とする）にメイン電極対Ｃｍが設けられており、それと接する２つの側面および底面に、サブ電極対Ｃｓ１〜Ｃｓ３が設けられる。なお、各電極対は、筐体の面の内側に設けられている。
【００５２】
筐体１０が曲面で構成され、複数の面が観念できない場合、以下の条件（２）〜（４）の少なくともひとつにもとづいてメイン電極対Ｃｍとサブ電極対Ｃｓ１〜Ｃｓ３の位置を決定してもよい。
【００５３】
（２）サブ電極対Ｃｓは、メイン電極対Ｃｍと、筐体の表面上で１ｃｍ以上離れて配置してもよい。１ｃｍ以上、好ましくは３ｃｍ程度離すことによって、予期せず同時に押圧される確率を低減できる。
【００５４】
（３）便宜的に、メイン電極対Ｃｍとあるサブ電極対Ｃｓを含む筐体１０の断面の中心点を考える。このとき中心点を頂点としてサブ電極対Ｃｓおよびメイン電極対Ｃｍがなす角度は、７５度以上、より好ましくは９０度以上であることが望ましい。角度が１８０度のとき、サブ電極対Ｃｓは、筐体１０を挟んでメイン電極対Ｃｍの反対側に配置されることを意味する。
【００５５】
（４）メイン電極対Ｃｍとサブ電極対Ｃｓを含む筐体１０の断面を考える。このときメイン電極対Ｃｍとサブ電極対Ｃｓは、その断面の外周の１／５以上離れて配置する。
【００５６】
図２は、リモコン１００の機能ブロック図を示す。リモコン１００は、メイン電極対Ｃｍ、サブ電極対Ｃｓ１〜Ｃｓ３、信号処理部２０、トランスミッタ１４を備える。
【００５７】
信号処理部２０は、メイン電極対Ｃｍおよびサブ電極対Ｃｓ１〜Ｃｓ３の容量値を監視し、検出した容量値に応じて所定の信号処理を行う。
【００５８】
信号処理部２０は、検出回路１６ａ〜１６ｄおよびロジック部１８を含む。信号処理部２０は、一つの半導体基板上に集積化されてもよい。検出回路１６ａとメイン電極対Ｃｍは上述のメインセンサＳｍを構成し、検出回路１６ｂ〜１６ｄはそれぞれ、対応するサブ電極対Ｃｓ１〜Ｃｓ３とともに、サブセンサＳｓ１〜Ｓｓ３を構成する。検出回路１６ａ〜１６ｄはそれぞれ、対応する電極対Ｃｍ、Ｃｓ１〜Ｃｓ３の容量を測定する。たとえば検出回路１６ａ〜１６ｄは、容量電圧変換回路（Ｃ／Ｖ変換回路）と、変換された容量に応じた電圧をデジタル信号に変換するＤ／Ａ変換器と、で構成される。ただし検出回路１６ａ〜１６ｄの構成はこれに限定されるものではない。検出回路１６ａ〜１６ｄは、対応する電極対の容量値に応じた検出信号Ｓ１〜Ｓ４を出力する。
【００５９】
容量値に応じた検出信号Ｓ１〜Ｓ４はロジック部１８へと入力される。検出信号Ｓ１〜Ｓ４の値は、対応する電極対Ｃｍ、Ｃ１〜Ｃ３が押圧されると変化する。ロジック部１８は、メイン電極対Ｃｍの容量値に応じた制御信号Ｓ５を生成し、後段のトランスミッタ１４へと出力する。トランスミッタ１４は、制御信号Ｓ５を受け、これを光、赤外線、電波などに変換して、制御対象である車両側のレシーバに対して送信する。
【００６０】
以上の構成によれば、対象物を操作するための本来のスイッチとして設けられたメイン電極対Ｃｍとは別に、対象物の操作とは無関係に設けられたサブ電極対Ｃｓ１〜Ｃｓ３を設け、メイン電極対Ｃｍとサブ電極対Ｃｓ１〜Ｃｓ３の状態に応じた処理を行うことにより、柔軟な制御を行うことができる。またサブ電極対Ｃｓ１〜Ｃｓ３は、メイン電極対Ｃｍとは異なる位置に配置されるため、意図せずに同時に押圧されて、誤入力が検出される確率を下げることができる。
【００６１】
以下、サブ電極対Ｃｓ１〜Ｃｓ３を設けたことにより可能となる柔軟な処理の具体例について説明する。
【００６２】
検出回路１６ａ〜１６ｄは、それぞれが独立にアクティブ、非アクティブ（オン、オフ）を切り替え可能に構成されており、対応する電極対の容量の監視状態、非監視状態を切り替え可能となっている。信号処理部２０は、サブ電極対Ｃｓ１〜Ｃｓ３の容量値に応じて、メイン電極対Ｃｍの監視状態を変化させる。つまり、サブ電極対Ｃｓ１〜Ｃｓ３の容量値に応じて、検出回路１６ａの動作状態を変化させる。
【００６３】
信号処理部２０は、待機状態においてサブ電極対Ｃｓ１〜Ｃｓ３の容量のみを監視する。その結果、サブ電極対Ｃｓ１〜Ｃｓ３の容量値が所定の条件を満たすときに、通常監視状態に遷移し、メイン電極対Ｃｍの監視を開始する。所定の条件とは、たとえばいずれかひとつのサブ電極が押圧された状態、少なくとも２つのサブ電極が押圧された状態、特定の２つのサブ電極対の組み合わせが押圧された状態、すべてのサブ電極対が押圧された状態などである。サブ電極対が押圧された状態とは、ユーザが筐体１０を手に保持した状態と推定される。言い換えれば、サブ電極対Ｃｓ１〜Ｃｓ３が押圧される以前は、ユーザが筐体１０を保持している可能性が低いため、メイン電極対Ｃｍの監視が不要である可能性が高い。そこで信号処理部２０は、つまりサブ電極対Ｃｓ１〜Ｃｓ３が押圧される以前はメイン電極対Ｃｍの監視は行わず、検出回路１６ａを非アクティブとして消費電力を低減する。
【００６４】
待機状態において、検出回路１６ａを定常的に非アクティブとする代わりに、アクティブ（監視）状態と非アクティブ（非監視）状態を交互に繰り返す間欠動作を行うことにより消費電力を低減してもよい。間欠動作させる場合、定常的に非アクティブとする場合に比べると消費電力は多少増加するが、ユーザが筐体１０を保持しているにもかかわらず、サブ電極対Ｃｓ１〜Ｃｓ３の容量変化が所定の条件を満たさなかった場合にも、メイン電極対Ｃｍの押圧を検出することができる。ただしこの場合、入力スイッチ１２への操作の検出レスポンスは低下するため、避難的な処理といえる。
【００６５】
別の観点から見れば、サブ電極対Ｃｓ１〜Ｃｓ３は、検出回路１６の起動用のスイッチと把握することができる。
【００６６】
さらに消費電力を低減するために、待機状態において、検出回路１６ｂ〜１６ｄを間欠的にアクティブとし、監視状態と非監視状態を交互に繰り返す。たとえば数秒に１回、数ｍｓ〜数十ｍｓの監視期間を設けることにより、消費電力を好適に低減できる。数秒とは、ユーザが筐体１０を手に保持してから入力スイッチ１２を押圧するまでに要する期間に応じて設定すればよく、この期間は経験的に１〜２秒、長くて３秒程度である。さらに長く５秒程度としてもよいが、長くすればするほど、消費電力を低減できる代わりに、検出回路１６ａがアクティブとなるまでのタイムラグが発生するため、レスポンスが悪いと感じるようになる。監視状態の期間と非監視状態の期間は設定可能とすることが望ましい。
【００６７】
検出回路１６ａのメイン電極対Ｃｍの監視状態を以下に示す。
【００６８】
１．  監視停止状態
メイン電極対Ｃｍの容量値の監視を停止し、消費電力を最小限とした状態。
２．  低速監視状態
間欠的にメイン電極対Ｃｍの容量値を監視する状態。０．１〜１秒に１回、数ｍｓ〜数十ｍｓの監視期間が設けられる。
３．  高速監視状態
数ｍｓの監視期間を短いインターバルで、もしくは連続的に繰り返す状態。消費電力は大きいが、検出のタイムラグは最短となる。
【００６９】
図３は、リモコン１００の動作状態を示すタイムチャートである。このタイムチャートは、φ１が検出回路１６ｂ〜１６ｄの動作状態を、φ２が検出回路１６ａの動作状態を、Ｃｓがサブ電極対Ｃｓの容量値の条件判定の結果を、Ｃｍがメイン電極対Ｃｍの押圧状態を示す。検出回路の動作状態φ１、φ２は、ハイレベルが監視状態、ローレベルが非監視状態を示す。Ｃｓはハイレベルが条件を満たした状態を示す。Ｃｍはハイレベルが押圧された状態を示す。
【００７０】
時刻ｔ０〜ｔ２の期間は待機状態であり、検出回路１６ｂ〜１６ｄによって間欠的にサブ電極対Ｃｓ１〜Ｃｓ３の容量値が監視される。この間、検出回路１６ａは監視停止状態となる。
【００７１】
時刻ｔ２以前の時刻ｔ１にメイン電極対Ｃｍが押圧されても、検出回路１６ａが監視停止状態であるため、押圧動作は検出されない。
【００７２】
時刻ｔ２にユーザが筐体１０を保持すると、サブ電極対Ｃｓ１〜Ｃｓ３の容量値が変化し、所定の条件を満たす。時刻ｔ２以降、検出回路１６ａは低速監視状態もしくは高速監視状態に遷移し、入力スイッチ１２の状態、つまりメイン電極対Ｃｍの容量値が監視される。時刻ｔ３にユーザがメイン電極対Ｃｍを押圧すると、その情報がトランスミッタ１４から送信される。
【００７３】
以上の処理によって、ユーザが筐体１０を保持する以前は消費電力を低減することができる。また、サブ電極対Ｃｓが押圧された状態で、メイン電極対Ｃｍの押圧が検出されると、所定の信号処理が実行される。言い換えれば、手にリモコン１００の筐体１０が保持された状態で入力スイッチ１２が操作されて初めて、制御対象の車のロック、解除やウィンドウが制御される。その結果、リモコン１００がカバンやポケットに入った状態での誤動作を好適に防止することができる。
【００７４】
以上、実施の形態に係るリモコン１００の構成と動作について説明した。この実施の形態は例示であり、それらの各構成要素や各処理プロセスの組み合わせにいろいろな変形例が可能なこと、またそうした変形例も本発明の範囲にあることは当業者に理解されるところである。
【００７５】
以下、変形例を説明する。実施の形態に係る静電センサを用いた入力装置の制御技術は、リモコン１００に限定されず、その他の電子機器にも利用することができる。電子機器は、たとえば携帯電話端末、ＰＤＡ（Personal Digital Assistants）、携帯型の音楽プレイヤなどである。
【００７６】
静電センサを用いた入力装置が電子機器に搭載される場合、リモコン１００を例に説明した技術のいくつかを好適に転用することができる。以下、電子機器として携帯電話などの通話端末を例に説明する。図４は、入力装置が搭載される携帯電話端末２００を示す図である。携帯電話端末２００は、ディスプレイ２１０、入力装置２２０、操作ボタン２３０を備える。
【００７７】
ディスプレイ２１０は、ユーザに対して必要なさまざまな情報を表示する。入力装置２２０は、ユーザが指によって操作するジョイスティック型の入力装置であって、上、左、下、右の各方向に圧力を加えることにより、ディスプレイ２１０上に表示された項目、オブジェクトを選択し、あるいは文字入力を補助するために設けられる。操作ボタン２３０は、発呼時に電話番号を入力したり、文章を入力するために設けられた入力装置である。
【００７８】
入力装置２２０および操作ボタン２３０は、静電センサを用いて構成される。つまり、入力装置２２０、操作ボタン２３０は、メイン電極対Ｃｍを含んでいる。これとは離れた位置にサブ電極対Ｃｓが設けられる。さらに携帯電話端末２００は、図２の信号処理部２０を備えている。
【００７９】
たとえばサブ電極Ｃｓを携帯電話端末２００の裏面、すなわちディスプレイ２１０や入力装置２２０が設けられる面と反対の面に設けた場合、サブ電極Ｃｓの押圧状態を監視することによって、ユーザが携帯電話端末２００を保持しているか否かを判定できる。そして、ユーザによって保持されていると判定されるときに、入力装置２２０、操作ボタン２３０のそれぞれのメイン電極Ｃｍを監視すれば、消費電力を低減できる。
【００８０】
反対に、サブ電極Ｃｓが押圧された状態で、あるメイン電極対Ｃｍの容量値の監視を停止、あるいは無効化してもよい。携帯電話端末２００を通話に使用する場合、入力装置２２０や操作ボタン２３０がユーザの頭部、特に耳や頬に接触し、押圧されて不要な入力が認識される場合がある。
【００８１】
そこで、別のサブ電極対Ｃｓを携帯電話端末２００のユーザが通話時に筐体を耳に近づけた状態で頭部と接触して押圧される箇所に配置してもよい。このサブ電極Ｃｓの容量値を監視することにより、ユーザが通話中か否かを判定することができる。そして通話中と判定された場合、入力装置２２０や操作ボタン２３０のいずれか、または両方のメイン電極Ｃｍの容量の監視を停止してもよい。あるいはメイン電極対Ｃｍの容量は監視するが、入力された情報を破棄して無効化してもよい。
【００８２】
この変形例によっても、実施の形態に係るリモコン１００と同様に、サブ電極対Ｃｓを設けて、その押圧状態と、メイン電極対Ｃｍの押圧状態を組み合わせて信号処理することにより、柔軟な制御が可能となる。
【００８３】
以上、実施の形態にもとづき本発明を説明したが、実施の形態は、本発明の原理、応用を示しているにすぎないことはいうまでもなく、実施の形態には、請求の範囲に規定された本発明の思想を逸脱しない範囲において、多くの変形例や配置の変更が可能であることはいうまでもない。
【符号の説明】
【００８４】
１００…リモコン、１０…筐体、１２…入力スイッチ、１４…トランスミッタ、１６…検出回路、１８…ロジック部、２０…信号処理部、Ｓｍ…メインセンサ、Ｃｍ…メイン電極対、Ｓｓ１…サブセンサ、Ｓｓ２…サブセンサ、Ｓｓ３…サブセンサ、Ｃｓ１…サブ電極対、Ｃｓ２…サブ電極対、Ｃｓ３…サブ電極対。
【図１】
2009213126.tif 000003
【図２】
2009213126.tif 000004
【図３】
2009213126.tif 000005
【図４】
2009213126.tif 000006